(57)【要約】沸騰水型原子力発電所等の工業プラントのプラントパラメータと性能を、グローバルネットワーク（２５２−２５８）上で評価することができる。プラントパラメータと性能データは複数の操業プラントから集められ、そのデータは分類された履歴データベースに記憶される。ユーザは、グローバルネットワークの履歴データベースをアクセスして、自己評価を行い、百分率の序列や傾向等を示す比較グラフを作成することができる。従来の方法によって詳細な技術分析を行うために、特定のプラントで生成されたデータをサーバサイト（１０）にダウンロードすることもできる。分析に基づくレポートとその論評を、グローバルネットワークを介してユーザに戻すことができる。
2004503873.tif 000002
【特許請求の範囲】
【請求項１】
グローバルネットワーク上でプラントパラメータと性能を評価する方法であって、
（ａ）複数の操業プラントのプラントパラメータと性能データを収集する工程と、
（ｂ）プラントパラメータと性能データを分類履歴データベースへ記憶する工程と、
（ｃ）グローバルネットワーク（２５２，２５８）上で前記履歴データベースへのアクセスを可能にする工程とを備える方法。
【請求項２】
工程（ａ）は、グローバルネットワーク（２５２，２５８）上で前記複数の操業プラントからプラントパラメータと性能データを受け取ることによって実施される、請求項１の方法（２５２，２５８）。
【請求項３】
前記履歴データベースに記憶されたプラントパラメータと性能データに基づいて、前記複数の操業プラント間でプラントパラメータと性能データを比較する工程をさらに備える、請求項１の方法。
【請求項４】
工程（ｂ）は、プラントの種類に基づいて分類された履歴データベースにプラントパラメータと性能データを記憶することによって実施され、前記比較する工程は、プラントの種類によってプラントパラメータと性能データを比較することによって実施される、請求項３の方法。
【請求項５】
前記履歴データベースに記憶されたプラントパラメータと性能データに基づいて技術評価（２４）を行う工程をさらに備える、請求項１の方法。
【請求項６】
工程（ｃ）は、入力パラメータに基づいて前記履歴データベースに対して分類されたアクセスを行うことを可能にすることによって実施される、請求項１の方法。
【請求項７】
前記複数の操業プラントは沸騰型原子力発電所であって、前記プラントパラメータと性能データは原子炉の水化学特性と原子炉性能データを備え、工程（ｃ）は、前記履歴データベースに対して分類されたアクセスを可能にして、現在の原子炉の性能の傾向を決定し、将来の原子炉の動作を予測することによって実施される、請求項１の方法。
【請求項８】
工程（ｃ）は、入力パラメータに基づき前記履歴データベースに対して分類されたアクセスを行うことを可能にし、前記複数の操業プラントの中の特定のプラントのデータを表示することによって実施される、請求項７の方法。
【請求項９】
グローバルネットワーク上でプラントパラメータと性能を評価するコンピュータシステムであって、
複数の操業プラントからプラントパラメータと性能データを収集し、前記プラントパラメータと性能データを分類された履歴データベースに記憶させるプログラムを実行する少なくとも一台のユーザコンピュータ（２０１）と、
前記少なくとも一台のユーザコンピュータと前記システムサーバはコンピュータネットワークで接続され、前記コンピュータネットワーク上で前記履歴データベースへのアクセスを可能にするサーバプログラムを実行するシステムサーバとを備えるコンピュータシステム。
【請求項１０】
コンピュータ読取り可能媒体上に実現された、グローバルネットワーク上でプラントパラメータと性能を評価するコンピュータプログラムにおいて、
複数の操業プラントからプラントパラメータと性能データを収集する手段と、
分類された履歴データベースに前記プラントパラメータと性能データを記憶する手段と、
グローバルネットワーク上で前記履歴データベースに対するアクセスを可能にする手段とを備えるコンピュータプログラム。
【発明の詳細な説明】
【０００１】
【発明の背景】
本発明は、プラントパラメータと性能の評価に関し、特に、グローバルネットワーク上で沸騰水型原子炉群の区分履歴データを利用して沸騰水型原子力発電所のパラメータと性能を評価する方法とシステムに関する。
【０００２】
沸騰水型原子力発電所のパラメータと性能を評価するために、プラントパラメータと性能データの履歴データベースが保守されて、定期的に更新される。これらデータによって、専門家が原子力発電所の現在のデータを分析して、原子炉の性能の評価を行ったり、原子炉の動作を予測する際に役に立つ。
【０００３】
例えば、沸騰水型原子炉では、伝導率、主要な陰イオン種および放射性生成物等を含む水化学特性を決定することは、プラントパラメータを評価したり、原子炉の性能を予測する際に重要な要因である。特に、履歴データは、誤った保守がなされた水化学が原因となる燃料の劣化を検出したり、様々な原子炉部品で蓄積された放射線量等の長期的な影響を評価するために有効である。また、この情報は、発電所の一般的な運転や、発電所を構築する構造材料の性質にも関係する。原子炉の問題を評価したり、原子炉の傾向と性能を予測したり、原子炉の傾向と性能を改善したりするために、履歴データベースのデータを利用して効果的な技術評価を行うことができる。
【０００４】
しかしながら、履歴データベース対するパラメータと性能データを収集する現状の方法では、データ送信と、手書きもしくはバッチ形式の技術報告書が必要である。送信されたデータによって、データ受信者は、既存の履歴データに基づいてなされるプラント評価のための傾向や百分率のグラフを作成することができる。この処理は非常に時間がかかって非効率的である。さらに、この処理では、評価能力が過去と未来の評価を行うことができるのは一期間に限定される一方で、データのアクセスや利用も限られた専門家に限定される。
【０００５】
【発明の簡潔な概要】
本発明の模範的な一実施形態では、グローバルネットワーク上でプラントパラメータと性能を評価する方法は、（ａ）複数の操業プラントのプラントパラメータと性能データを収集する工程と、（ｂ）プラントパラメータと性能データを分類履歴データベースへ記憶する工程と、（ｃ）グローバルネットワーク上で前記履歴データベースへのアクセスを可能にする工程を備える。工程（ａ）は、グローバルネットワーク上で前記複数の操業プラントからプラントパラメータと性能データを受け取ることによって実施される。本方法は、前記履歴データベースに記憶されたプラントパラメータと性能データに基づいて、前記複数の操業プラント間でプラントパラメータと性能データを比較する工程をさらに備える。これに関連して、工程（ｂ）は、プラントの種類に基づいて分類された履歴データベースにプラントパラメータと性能データを記憶することによって実施され、前記比較する工程は、プラントの種類によってプラントパラメータと性能データを比較することによって実施される。本方法は、前記履歴データベースに記憶されたプラントパラメータと性能データに基づいて技術評価を行う工程をさらに備える。工程（ｃ）は、入力パラメータに基づいて前記履歴データベースに対して分類されたアクセスを行うことを可能にすることによって実施される。
【０００６】
一構成では、複数の操業プラントは沸騰型原子力発電所であって、前記プラントパラメータと性能データは原子炉の水化学特性と原子炉性能データを備える。これに関連して、工程（ｃ）は、前記履歴データベースに対して分類されたアクセスを可能にして、現在の原子炉の性能の傾向を決定し、将来の原子炉の動作を予測をすることによって実施される。工程（ｃ）は、入力パラメータに基づき前記履歴データベースに対して分類されたアクセスを行うことを可能にし、前記複数の操業プラントの中の特定のプラントのデータを表示することによって実施される。
【０００７】
本発明の別の実施形態では、グローバルネットワーク上でプラントパラメータと性能を評価するコンピュータシステムは、複数の操業プラントからプラントパラメータと性能データを収集するプログラムを実行する少なくとも一台のユーザコンピュータを備える。ユーザコンピュータは、前記プラントパラメータと性能データを分類された履歴データベースに記憶させる。システムサーバは、サーバプログラムを実行する。尚、ユーザコンピュータとシステムサーバはコンピュータネットワークで接続される。システムサーバは、コンピュータネットワーク上で前記履歴データベースへのアクセスを可能にする。
【０００８】
本発明の別の一実施形態では、コンピュータ読取り可能媒体上に実現された、グローバルネットワーク上でプラントパラメータと性能を評価するコンピュータプログラムは、本発明の方法を実現するように構成される。
【０００９】
【発明の実施の形態】
図１から図６で実施されたプラント評価システムは、ユーザコンピュータで実行されるプログラム（ユーザウェブブラウザ）がシステムサーバで実行されるサーバプログラムに情報を要求するというブラウザベースシステムであることが好ましい。システムサーバは、要求されたデータをブラウザプログラムに送り、ブラウザプログラムはそのデータを解釈してユーザのコンピュータスクリーンに表示する。この手順を以下に示す。
【００１０】
１．ユーザが、コンピュータでウェブブラウザプログラムを実行させる。
【００１１】
２．ユーザが、サーバコンピュータに（例えば、インターネット等を介して）接続する。周知であるパスワードを正しく入力するという条件で、サーバコンピュータへの接続が可能になる。
【００１２】
３．ユーザが、サーバコンピュータにページを要求する。ユーザブラウザは、以下のものを含むメッセージをサーバコンピュータに送信する。
【００１３】
転送プロトコル（例えば、ｈｔｔｐ：／／）
アドレス、即ち、ユニフォームリソースロケータ（ＵＲＬ）
４．サーバコンピュータは、ユーザの要求を受信して、例えば、ＨＴＭＬ（ハイパーテキストマークアップ言語）で作成された、要求されたページを検索する。
【００１４】
５．サーバは、要求されたページをユーザコンピュータに送信する。
【００１５】
６．ユーザブラウザプログラムは、ＨＴＭＬテキストを受け取って、要求されたページの解釈を表示する。
【００１６】
このように、ユーザ側のブラウザプログラムが要求を送り、ユーザのコンピュータにＨＴＭＬページを表示したいデータを受け取る。これには、ＨＴＭＬファイル自身と、そこに記述されているグラフ／音声／ビデオファイルが含まれる。一旦データが検索されると、ブラウザがそのデータをフォーマット化して、ユーザコンピュータスクリーンに表示する。Ｊａｖａ（商標）等のヘルパーアプリケーションやプラグインやエンハンスメントによって、ブラウザはとりわけ、音声再生や、ＨＴＭＬファイルに挿入された映像を表示することができる。ユーザコンピュータにインストールされたフォントと、ユーザが利用するブラウザの表示嗜好によって、どのようにテキストをフォーマット化するかが決定される。
【００１７】
もしユーザがプログラム（例えば、探索）の実行を要求するアクションを要求したならば、サーバはプログラムをロードして実行する。普通はこの処理によって、プログラムのアクション結果（探索結果等）を含むカスタムＨＴＭＬページを「ｏｎ ｔｈｅ ｆｌｙ」で作成し、その結果がブラウザに返される。
【００１８】
本発明のプラント評価システムと共に利用するのに適したブラウザプログラムには、Ｎｅｔｓｃａｐｅ Ｃｏｍｍｕｎｉｃａｔｉｏｎｓ Ｃｏｒｐｏｒａｔｉｏｎから入手可能なＮｅｔｓｃａｐｅ Ｎａｖｉｇａｔｏｒ （商標）、及びＭｉｃｒｏｓｏｆｔ Ｃｏｒｐ．から入手可能なＩｎｔｅｒｎｅｔ Ｅｘｐｌｏｒｅｒ（商標）が挙げられる。
【００１９】
上の説明では、各ユーザはウェブブラウザを実行するコンピュータを所持していると考えているが、二人以上のユーザが特定のコンピュータ端末を使用できるか、もしくは、システムサーバにアクセスできる主要な場所（例えば、カフェテリアや休憩所等）には「キオスク」があることを正しく理解すべきである。
【００２０】
サーバに格納されたデータをアクセスするためにウェブページを作成する際は、多くのツールを簡単に利用することができ、また、それらのツールを使って、添付の図面で示され以下で説明されるプラント評価システムを開発したり実施することができることは、当業者であれば理解できる。
【００２１】
図６は、本発明のプラント評価システムのクライアントとサーバの構成要素として利用するために適したコンピュータシステム２０１を一般的に示すものである。クライアントコンピュータとサーバコンピュータは適切なソフトウエアを実行させることができ、また、クライアントコンピュータとサーバコンピュータは、それぞれのプロセッサの処理能力や使用されるメモリ容量に関して幾分異なって構成されることがあることを正しく理解すべきである。コンピュータシステム２０１は処理装置２０３とシステムメモリ２０５を備える。システムバス２０７は、メモリ２０５から処理装置２０３までを含む様々なシステム要素を接続する。システムバス２０７は、メモリバスもしくはメモリコントローラと、周辺バスと、様々なバスアーキテクチャに基づくローカルバスを含む複数の種類のバス構造のどれであってもよい。システムメモリ２０５には、リードオンリーメモリ（ＲＯＭ）２５２とランダムアクセスメモリ（ＲＡＭ）２５４が含まれる。例えばスタートアップ時にコンピュータシステム２０１の要素間の情報転送を支援する基本ルーチンを含む基本入出力システム（ＢＩＯＳ）２４６は、ＲＯＭ２５２に記憶されている。さらに、コンピュータシステム２０１は、様々なドライバとそれに関連するコンピュータ読取り可能媒体を備える。ハードディスクドライブ２０９は、（一般的に、固定）磁気ハードディスク２１１の読み出しと書き込みを行い、磁気ディスクドライブ２１３は、取り外し可能なフロッピーやその他の磁気ディスク２１５の読み出しと書き込みを行い、光ディスクドライブ２１７は、ＣＤ−ＲＯＭやその他の光媒体等の取り外し可能な光ディスク２１９の読み出しと、その構成によっては書き込みを行う。ハードディスクドライブ２０９と磁気ディスクドライブ２１３と光ディスクドライブ２１７はそれぞれ、ハードディスクドライブインターフェイス２２１と磁気ディスクドライブインターフェイス２２３と光ドライブインターフェイス２２５によってシステムバス２０７に接続される。それらのドライブとそれ関連するコンピュータ読取り可能媒体は、コンピュータシステム２０１のためのコンピュータ読取り可能命令とＳＱＬベースの手続きとデータ構造とプログラムモジュールとその他のデータのために不揮発性の記憶場所を提供するものである。その他の構成では、コンピュータがアクセス可能なデータを記憶できる別の種類のコンピュータ読取り可能媒体（例えば、磁気カセットとフラッシュメモリカードとデジタルビデオディスクとＢｅｒｎｏｕｌｌｉカートリッジとランダムアクセスメモリ（ＲＡＭ）とリードオンリーメモリ（ＲＯＭ））も使用可能である。
【００２２】
ハードディスク２１１や取り外し可能な磁気ディスク２１５や光ディスク２１９や、システムメモリ２０５のＲＯＭ２５２やＲＡＭ２５４に多くのプログラムモジュールを記憶させることができる。これらのプログラムモジュールには、グラフと音声ＡＰＩと１つ以上のアプリケーションプログラムとその他のプログラムモジュールとプログラムデータを提供するオペレーティングシステムが含まれる。ユーザは、キーボード２２７やポインティングデバイス２２９等の入力装置によってコンピュータシステム２０１へコマンドと情報を入力することができる。その他の入力装置は、マイクやジョイスティックやゲームコントローラやパラボナアンテナやスキャナ等を含んでいてもよい。これらの入力装置とその他の入力装置は、システムバス２０７に接続されたシリアルポートインターフェイス２３１によって処理装置ＣＰＵ２０３に接続されることが多いが、パラレルポートインターフェイスやユニバーサルシリアルバス（ＵＳＢ）等のその他のインターフェイスで接続してもよい。また、モニター２３３やその他の種類のディスプレイ装置も、ビデオアダプタ２３５等のインターフェイスを介してシステムバス２０７に接続される。さらに、スピーカ２３７又はその他の音声発生装置がサウンドカード２３９を介してシステムバス２０７に接続されている。
【００２３】
また、コンピュータシステム２０１は、インターネット等の広域ネットワーク２５２上で通信を確立するモデム２５４やその他の手段を備える。内蔵もしくは外付けのモデム２６５４は、シリアルポートインターフェイス２３１を介してシステムバス２０７に接続される。また、コンピュータシステム２０１がローカルエリアネットワーク２５８を介して遠隔の計算装置２５０と通信できるように、ネットワークインターフェイス２５６を備えてもよい（もしくは、その通信は、広域ネットワーク２５２や、ダイアルアップやその他の通信手段等のその他の通信経路を介して行なってもよい）。一般的に、コンピュータシステム２０１は、その他の周辺出力装置、例えば、プリンタやその他の標準周辺機器を備えることができる。
【００２４】
ウェブベースの書式やスクリーンに精通する者にとって理解できることであるが、ユーザは、マウスやトラックボールやその他のポインティングデバイスを利用してポイントとクリックすることによって、もしくは、キーボードのＴＡＢキーやＥＮＴＥＲキーを使うことによってメニューの選択を行うことができる。例えば、マウスを使って、もしくは、ＴＡＢキーを使って選択対象の上にカーソルを位置付けることによって、メニューの選択対象をハイライトすることができる。マウスを左クリックすることによって、もしくは、ＥＮＴＥＲキーを押すことによって選択対象を選択することができる。音声認識システムやタッチセンシティブスクリーン等を含むその他の選択メカニズムを利用してもよく、本発明はこの観点から限定されるものではない。
【００２５】
沸騰水型原子炉では、伝導率と主要種と放射性生成物等の水化学特性を保守することと周期的なサンプリングを行うことが重要である。不適切に保守された水化学は燃料の劣化を引き起すことがあるので、プラント性能が低下する。例えば、同様の種類のプラントの水化学の履歴データを使うと、技術者はプラントの一般的な運転と、プラントが構築されたそのプラントの構造材料の特性を評価することができる。この情報は、技術的な評価を行ったり、傾向の予測を行ったりするなどの際に大変貴重なものである。
【００２６】
図１の処理概要は、性能の傾向データを見てグラフレポートを生成するために、データを送る際のユーザとサーバの対話性を示すものである。図１を参照すると、ホームページもしくはサーバサイト１０から、ユーザはプラント情報をデータベースに送るために分析リンク１２もしくはリンク１４を選択する。分析リンク１２によって、ページ１６で履歴データベースや診察のコメントにアクセスすることが可能になる。例えば、図２に示されるように、ユーザは入力パラメータに基づいて履歴データをアクセスして、特定のグラフ表現を表示させることができる。図２で、ユーザは注目のフィールド、即ち、（１）給水（Ｆｅｅｄ ｗａｔｅｒ）、（２）原子炉冷却材（Ｒｅａｃｔｏｒ ｗａｔｅｒ）、（３）ＩＮＰＯ ＆ＷＡＮＯの閲覧用プロット（ＩＮＰＯ ＆ＷＡＮＯ ｐｌｏｔ）を選択する。図３から図５は、履歴データへのその他のアクセスの一例を示し、図３では、年平均 （Ｙｅａｒｌｙ Ａｖｅｒａｇｅ）や周期平均 （Ｃｙｃｌｅ Ａｖｅｒａｇｅ）や日平均 （Ｄａｉｌｙ Ａｖｅｒａｇｅ）を得るためのオプションに対するリンクを提供する。図４では、ユーザは「日平均」を選択した後で、履歴データに基づいて出力用の表示を生成するためのパラメータを入力するように（例えば、図示されたドロップダウンメニューによって）ユーザが促されている。図５は、模範的な出力プロットである。既に言及したことであるが、履歴データによって、ユーザは傾向を求めるために内部的自己評価を行い、同じ種類のその他のプラントを含むその他のプラントに関する百分率での比較を行うことができる。また、必要に応じて、カスタマイズされた能力を加えることも可能である。
【００２７】
また、ユーザは、リンク１４を介して入力されたデータに基づいて診断コメントや技術分析をアクセスすることができる。
【００２８】
ユーザは、ページ１８によってドロップダウンメニュー等を利用して分類されたデータを送る。サーバは、分類されたデータを受け取り、処理リンク２０を介してデータを履歴データベースに記憶させる。
【００２９】
サーバアクセスサイト２２では、リンク１４を介して送られたデータと履歴データベースに記憶された履歴データに基づき、周知の原理を利用して分析データを生成する。サーバウェブサイト２２は、傾向と他プラントとの比較と集団全体の百分率に関するこのデータに基づいて分析結果を生成する。こうして、ユーザは、ウェブサイトと簡単に交信して、自己評価を行って、同様の種類のプラントとの性能比較を行うことができる。
【００３０】
ブロック２４は、インターネットや従来の手段で送られたプラントデータを使って実行することができる技術分析結果を示す。分析は、履歴データベースに記憶された履歴データに基づいて周知の高度技術を利用して実行される。一般的に、この分析は、特定事象の根本原因を探求するために用いられ、解決法と示唆等を提供することができる。これが完了すると、ページ１６を介して、分析結果は、ユーザがレビューするための解説と共に提示される。別の方法では、その分析結果は、従来の手段によってユーザに送られる。
【００３１】
以下の例では、沸騰水型原子炉群とそれに対応する履歴データベースと共に本発明のアプリケーションを説明する。しかしながら、本発明は、説明するアプリケーションに特に限定されるものではない。ある原子力発電所のある部品に亀裂が生じる問題を抱えていると仮定しよう。プラント技術者は、原子炉の水化学をサンプリングして分析する。そして、詳細な技術分析と論評を求めるために、ページ１８を介してインターネットでそのデータを送ることができる。また、ページ１６で履歴データ、特に、同じ種類の原子炉群の構成要素の亀裂に関するデータを見ることもできる。このデータを使ってユーザは、可能性のある原因と修理に関する予備評価を行ったり、その他の原子炉との性能を比較することができる。
【００３２】
データが受け取られると、従来どおりに詳細な技術分析が行われる。本例の分析では、特に、操業中に水素等が注入されたか否か等の保守手続きと塩化物のレベルと伝導特性のレビューを行う。この情報は、類似プラントの履歴データベースに記憶された同様のプラントの履歴データと比較されて、特に、同じ部品で亀裂が起きなかったプラントでのレベル変化量の偏差等が求められる。分析が完了すると、適切な手段、例えば、インターネットや従来の方法によってプラントに詳細レポートが転送される。
【００３３】
また、この特定のプラント情報は、米国沸騰型原子炉学術協会等の規制団体から利用可能、即ち、アクセス可能であって、検査プログラムとスケジュールを調整することができる。
【００３４】
本発明では、ユーザはプラントパラメータと性能をグローバルネットワーク上で対話的に評価することができる。本システムによって、ユーザはデータを送ることによって、オートメーション化された方法で重要な性能情報、例えば、沸騰型原子炉の核種データと化学元素と傾向と比較結果を見ることができる。ユーザは、ドロップダウンメニュー等をアクセスして、特定のパラメータ、例えば、沸騰型原子炉環境での化学種を選択することによって、プラント群に関係するレベルとの対比でそのレベルを見ることができる。また、ユーザは、一つの構成要素を選択することによって、その過去の傾向を見ることができる。データは履歴データベースに自動的に収集されて、プラントの序列の自動的なプロットと百分率と傾向グラフが提供される。データを評価することは、事象の根本理由を理解して、ユーザに診察サービスを提供するために特に適している。
【００３５】
現状では最も実践的で好適と考えられる実施形態に関連して本発明を説明したが、本発明は開示された実施形態に限定されることはなく、逆に、添付の請求項の精神と範囲内にある様々な修正要素と等価物を網羅するものである。
【図面の簡単な説明】
【図１】
図１は、ウェブサイトデータベースのアーキテクチャを示す図である。
【図２】
図２は、見たい要素を選択するためのスクリーンの一例である。
【図３】
図３は、入力スクリーンの一例である。
【図４】
図４は、対話的に評価するための選択用入力パラメータを示すスクリーンの一例である。
【図５】
図５は、特定のプラントの注目のパラメータを対話的に評価することで得られたデータの出力プロット例を示すスクリーンの一例である。
【図６】
図６は、コンピュータの構成要素を示す模式的ブロック図である。
【図１】
2004503873.tif 000003
【図２】
2004503873.tif 000004
【図３】
2004503873.tif 000005
【図４】
2004503873.tif 000006
【図５】
2004503873.tif 000007
【図６】
2004503873.tif 000008
【国際公開パンフレット】
2004503873.tif 000009
2004503873.tif 000010
2004503873.tif 000011
2004503873.tif 000012
2004503873.tif 000013
2004503873.tif 000014
2004503873.tif 000015
2004503873.tif 000016
2004503873.tif 000017
2004503873.tif 000018
2004503873.tif 000019
2004503873.tif 000020
2004503873.tif 000021
2004503873.tif 000022
2004503873.tif 000023
2004503873.tif 000024
2004503873.tif 000025
2004503873.tif 000026
2004503873.tif 000027
2004503873.tif 000028
【国際公開パンフレット（コレクトバージョン）】
2004503873.tif 000029
2004503873.tif 000030
【国際調査報告】
2004503873.tif 000031
2004503873.tif 000032